(57)【特許請求の範囲】
【請求項１】
床の上方に構造体の一部をなす桟を配置し、これら床と桟との間に、上端部を桟に係わり合わせ下端部を床に接地させて支柱を取り付けるようにしたものであって、
押し込むことによって反発力を蓄積しつつ桟に係わり合うプッシュラッチ要素を設け、当該プッシュラッチ要素の少なくとも一部を、支柱の上端部において床と桟の間に支柱を介在させた際に反発力を蓄積しつつ弾性変形する可動部として利用し、この可動部を弾性変形させた状態で床と桟との間に支柱を介在させて取り付けることを特徴とする支柱の取付構造。
【請求項２】
床の上方に構造体の一部をなす桟を架設し、これら床と桟との間に、上端部を桟に係わり合わせ下端部を床に接地させて支柱を取り付けるようにしたものであって、
押し込むことによって反発力を蓄積しつつ桟に係わり合うプッシュラッチ要素の少なくとも一部を、支柱の上端部において床と桟の間に支柱を介在させた際に反発力を蓄積しつつ弾性変形する可動部として利用し、この可動部を弾性変形させた状態で床と桟との間に支柱を介在させて取り付けることを特徴とする支柱の取付構造。
【請求項３】
床の上方に構造体の一部をなす桟を配置し、これら床と桟との間に、上端部を桟に係わり合わせ下端部を床に接地させて支柱を取り付けるようにしたものであって、
押し込むことによって反発力を蓄積しつつ支柱の上端部に係わり合うプッシュラッチ要素の少なくとも一部を桟に設けるとともに、当該桟の内部において床と桟の間に支柱を介在させた際に反発力を蓄積しつつ弾性変形する可動部として利用し、この可動部を弾性変形させた状態で床と桟との間に支柱を介在させて取り付けることを特徴とする支柱の取付構造。
【請求項４】
支柱の下端部がアジャスタによって構成されている請求項１〜３の何れかに記載の支柱の取付構造。
【請求項５】
桟が、下向きに連続開口を有するものであり、この連続開口を介して支柱の上端部を桟の長手方向に沿った任意の位置に取り付け得るようにしている請求項１〜４の何れかに記載の支柱の取付構造。
【請求項６】
床と桟の間に、少なくとも２本以上の支柱を取り付けるようにしている請求項１〜５の何れかに記載の支柱の取付構造。
【請求項７】
隣接する一対の支柱が、協働してオプション部材を取り付けるために床と桟との間に取り付けられるものである請求項６記載の支柱の取付構造。
【発明の詳細な説明】
【０００１】
【発明の属する技術分野】
本発明は、床と桟の間に介在させて支柱を取付ける際に利用される支柱の取付構造に関するものである。
【０００２】
【従来の技術】
近時になって、居住空間を効率的に利用するために、床の上方に構造体の一部をなす桟を架設し、これら床と桟の間に、上端部を桟に係わり合わせ下端部を床に接地させて支柱を取り付けるようにした空間モジュールが考えられている。
【０００３】
このような空間モジュールを採用すれば、支柱を利用して居住空間を間仕切るパーティションを形成したり、棚や各種オプション部材を取り付けるなど、居住空間を効率的に利用する環境を有効に整えることができるようになる。
【０００４】
【発明が解決しようとする課題】
ところで、上記のごとく支柱を床と桟の間に取り付ける態様としては、支柱の上端部を桟にブラケット等を介して固定し、支柱の下端部をアジャスタを介して床に接地させるようにするのが一般的である。
【０００５】
しかしながら、このような取付構造において、アジャスタ調節を行うと、ある時点で急激に支柱が床と桟の間で突っ張って固定され、少し緩めると途端に締付け力が放出されるといった具合に、調整しろが狭いがために適切な調整範囲内に収めることが難しく、あまり締め過ぎると支柱が必要以上に突っ張って桟の撓み変形を引き起こす恐れがある。
【０００６】
特に、このような桟の撓み変形は、床と桟の間に２本以上の支柱を取り付ける場合等に、折角アジャスタ調整した他の支柱の締付力の放出を招くため、再調整が必要になるのみならず、このような再調整が循環することによって複数の支柱を均等な力で床と桟の間に取り付ける作業が極めて煩雑ないし困難となり、安全で確実な取付状態を簡易に実現できる手法の確立が望まれるところである。
【０００７】
本発明は、このような課題に着目してなされたものであって、簡易な構造で床と桟の間に支柱を的確に取り付けることができるようにした支柱の取付構造を新たに提供しようとするものである。
【０００８】
【課題を解決するための手段】
本発明は、かかる目的を達成するために、次のような手段を講じたものである。
【０００９】
すなわち、本発明に係る支柱の取付構造は、床の上方に構造体の一部をなす桟を配置し、これら床と桟との間に、上端部を桟に係わり合わせ下端部を床に接地させて支柱を取り付けるにあたり、支柱の上端部に、床と桟の間に支柱を介在させた際に反発力を蓄積しつつ弾性変形する可動部を設け、この可動部を弾性変形させた状態で床と桟との間に支柱を介在させて取り付けるようにしたものを前提としている。この基本構成においては、アジャスタの有無は問題とならない。
【００１０】
このような構造を採用すれば、支柱が可動部を弾性変形させながら床と桟の間に介挿されるので、床から桟までの距離に対して支柱の長手寸法に多少の誤差等があっても、弾性力が一挙に放出されるようなことがない。したがって、寸法設定にある程度余裕が得られ、桟の撓み変形を引き起こすほど大きな力で床と桟の間に支柱が介挿される事態を有効に回避することができる。
【００１１】
特に、床と桟の間に２本以上の支柱を取り付ける場合などには、桟の撓み変形を引き起こさないため一旦床と桟の間に介挿した支柱の取付状態は一定に維持されることになり、他の支柱を取り付けたことによって既に取り付けた支柱の取付状体が変化することを回避して効率良く適切に支柱の取付本数を増やしていくことができる。したがって、複数の支柱を均等な力で床と桟の間に取り付けることが容易となり、安全で確実な取付状態を簡易に実現することが可能となる。
【００１２】
具体的な実施の態様としては、支柱の上端部から下端部に至る領域の一部に、床と桟の間に支柱を介在させた際に反発力を蓄積しつつ端部間の距離を縮める方向に弾性変形する可動部を設け、この可動部を弾性変形させた状態で床と桟との間に支柱を介在させて取り付けるようにしたものが挙げられる。ここに言う端部間の距離とは、実質的に床と桟の間に介在される支柱の距離をいい、一部が桟や床に入り込んでいる部分はここに言う端部の概念に含まないものである。
【００１３】
可動部の弾性変形作用を有効に発揮させるためには、可動部を支柱の上端部若しくは上端近傍部に設け、支柱の荷重が極力可動部に作用しないようにしておくことが望ましい。
【００１４】
そしてこのような効果を極めて適切に実現するための本発明に係る構成としては、支柱の上端部に、押し込むことによって反発力を蓄積しつつ桟に係わり合うプッシュラッチ要素を備え、このプッシュラッチ要素の一部を可動部として利用するようにしていることを特徴とするものである。
【００１５】
本発明は、可動部を、桟側に設けたものも特徴としている。この場合は、当該桟の内部に、押し込むことによって反発力を蓄積しつつ支柱の上端部を係わり合わせるプッシュラッチ要素を備え、このプッシュラッチ要素の少なくとも一部を可動部として利用することを特徴とするものである。
【００１６】
本発明は、支柱の下端部がアジャスタによって構成されている場合に特に効果的である。アジャスタ調整しろを無理なく有効に広げることができるからである。
【００１７】
本発明は、桟が下向きに連続開口を有し、この連続開口を介して支柱の上端部を桟の長手方向に沿った任意の位置に取り付け得るようにしている場合に有効である。長手方向に沿った各位置で床の不陸等により取付条件が異なることとなっても大きな影響を受けないで済むからである。
【００１８】
本発明は、床と桟の間に、少なくとも２本以上の支柱を取り付けるようにしているものに適用した場合に特に効果がある。例えば、隣接する一対の支柱が、協働してオプション部材を取り付けるために床と桟との間に取り付けられるような場合である。
【００１９】
【発明の実施の形態】
以下、本発明の一実施形態を、図面を参照して説明する。
【００２０】
本実施形態に係る支柱の取付構造は、図１に示す作業空間モジュールに適用されるものである。この作業空間モジュールは、複数の支柱４を床Ｆに略等間隔で配置するとともに、隣接する支柱４間に桟５を架設して構成した自立性を有する構造体であり、オフィス空間に所定の作業空間を形成するために用いられる。支柱４には、オプション部材としてパネルＯＰ１以外に、デスク用の天板ＯＰ２、棚用円形天板ＯＰ３、及び照明器具ＯＰ４等を取り付け得るようにしている。
【００２１】
しかして、本実施形態の取付構造が適用される支柱は、上記支柱４ではなく、支柱４、４間にオプションとして取り付けられるパネル要素３を支持するパネル支持支柱２であり、このパネル支持支柱２を床Ｆと桟５の間に介在させて取り付け、このパネル支持支柱２に図２に示すパネル要素取付具１を介してパネル要素３を取り付けるようにしている。
【００２２】
パネル支持支柱２は、図３に示すように、押し出し成形により断面視十字状をなすように形成された支柱本体２１と、この支柱本体２１の下端部に設けたアジャスタ２２と、前記支柱本体２１の上端部に設けたプッシュラッチ要素２３とを具備する。プッシュラッチ要素２３は、図４に示すように桟５側に設けられるプッシュラッチ受け要素２４と対をなしてプッシュラッチ機構を構成しており、プッシュラッチ要素２３をプッシュラッチ受け要素２４に係わり合わせることによってパネル支持支柱２の上端を桟５に係留し、しかる後、アジャスタ２２を接地、調整して、パネル支持支柱２の取り付けを完了するようにしている。
【００２３】
プッシュラッチ要素２３は、図４、図５及び図６に示すように、支柱本体２１の上端部に取付金具２３ｐを介して取り付けられるベース２３aと、このベース２３a中央より立設され先端側に軸心を含む面に平行なスリット２３ｓが形成された柱状体２３ｂと、この柱状体２３ｂの外周位に昇降可能に配置された円盤状のラッチ板２３ｃと、このラッチ板２３ｃと前記ベース２３aとの間に介在させたねじりコイルバネ２３ｄと、前記柱状体２３ｂのスリット２３ｓ内に支軸回りに回転可能に配置したラッチ歯２３eと、このラッチ歯２３eを支軸ｍから変位した位置において上方へ弾性により押し付ける押し付け機構２３ｆとからなる。押し付け機構２３ｆは前記柱状体２３ｂのスリット２３ｓ内に収容したボール２３ｆ２及びバネ２３ｆ１から構成されている。ラッチ歯２３eは矩形板の対向二辺をほぼ三角形状に切り落とした形態をなすもので、この三角形状の凹部をラッチ領域２３ｘとして設定し、他の対向二辺を非ラッチ領域２３ｙとして設定し、両領域の境界となる角部を切替えポイント２３ｚとして設定している。ラッチ板２３ｃは、頂壁２３ｃ１、底壁２３ｃ２及び周壁２３ｃ３を具備し、円環状の空洞をその内周側に開口させたある程度厚みを有するものである。
【００２４】
次に、このプッシュラッチ要素２３の作動を説明する。先ず、ラッチ板２３ｃがバネ２３ｆ１に押し上げられて図６（ａ）に示す上昇位置にあり（適宜のストッパーに規制されてそれ以上は上昇しないようになっている）、ラッチ歯２３eの非ラッチ領域２３ｙが起立してラッチ板２３ｃの内周に接している状態では、ラッチ歯２３eはラッチ板２３ｃにブロックされて回転を阻止されている。これが非ラッチ状態である。この状態から、ラッチ板２３ｃを降下する方向に押し込むと、このラッチ板２３ｃがラッチ歯２３eの非ラッチ領域２３ｙを通過し、さらに切替えポイント２３ｚを通過した時点で、ラッチ歯２３eの拘束が解除され、押し付け機構２３ｆにより斜辺２３e１を押し上げられて、図６（ｂ）に示すように切替えポイント２３ｚをスリット２３ｓから側方へ若干突出させる位置まで当該ラッチ歯２３eが回転する。この状態でラッチ板２３ｃへの押し込み力を解除すると、ラッチ板２３ｃはバネ２３ｄに押し上げられ、このとき頂壁２３ｃ１が突出した切替えポイント２３ｚをすくい上げ、引き続き底壁２３ｃ２が次の切替えポイント２３ｚをすくい上げて、図６（ｃ）に示すように内周に形成された円環状の空洞内に切替えポイント２３ｚを収容た状態で上昇する。ラッチ板２３ｃの頂壁２３ｃ１がラッチ歯２３eのラッチ領域２３ｘに沿ってその谷に達した後は、それ以上上昇しようとしても頂壁２３ｃ１がラッチ領域２３ｘの下側の斜辺２３e１と干渉するため回転できず、ラッチ状態に引き込まれる。このラッチ状態から再びラッチ板２３ｃを図６（ｄ）のように押し込むと、ラッチ板２３ｃがラッチ歯２３eのラッチ領域２３ｘを通過し、さらに切替えポイント２３ｚを通過した時点で、ラッチ歯２３eの拘束が解除され、押し付け機構２３ｆにより非ラッチ領域２３ｙを押し上げられて、図６（ｅ）に示すように次の切替えポイント２３ｚをスリット２３ｓから側方へ突出させる位置まで当該ラッチ歯２３ｅが回転する。この状態でラッチ板２３ｃへの押し込み力を解除すると、ラッチ板２３ｃはバネ２３ｄに押し上げられ、頂壁２３ｃ１が切替えポイント２３ｚを押し上げる。その結果、ラッチ歯２３eが図６（ａ）の状態に戻り、その間に押し付け機構２３ｆのボール２３ｆ２が切替えポイント２３ｚを乗り越えて、ラッチ領域２３ｘの谷付近の斜辺２３e１に接触する最初の状態に戻る。
【００２５】
一方、プッシュラッチ受け要素２４は、図７及び図８に示すように、ビームアタッチメント２４aと、このビームアタッチメント２４aの取り付け状態を維持するストッパー２４ｂとからなる。ビームアタッチメント２４aは桟５の形状に対応して各部の寸法設定がされている。すなわち、この実施形態の桟５は、下向きに連続開口を有するもので、開口近傍の起立壁５１に内方に向けて複数段の突片５２を有しており、突片５２と突片５２の間に長手方向に沿って延びる溝５３が形成されている。これに対して、ビームアタッチメント２４aは、矩形状をなす板材の対角２箇所にアール２４a１を形成したもので、長辺２４a２は桟５の起立壁５１間の内法寸法にほぼ対応し、短辺２４a３は突片５２間の内法寸法よりも小さい値に設定されている。そして、このビームアタッチメント２４aを、短辺を桟５の巾方向に合致させて図７（ａ）矢印Ｘに示すように開口から桟５の内部に収容し、所定の溝５３の高さ位置においてこのビームアタッチメント２４aを同図中矢印Ｙに示すように水平面内をほぼ９０°回転させることによって、短辺２４a３を起立壁５１の内面に密接する位置にまで移動させることができるようにしている。この実施形態では、異なる高さ位置に複数の溝５３が形成してあり、何れの溝５３にビームアタッチメント２４aを装着するかによって、プッシュラッチ２３の受け位置を変更できるようにしている。ビームアタッチメント２４a及びストッパー２４ｂの中央には、プッシュラッチ要素２３の柱状体２３ｂの先端を挿入する孔２４a４、２４ｂ４が形成してある。
【００２６】
一方、ストッパー２４ｂは、チャネル状をなし、その頂壁２４ｂ１の巾寸法２４ｘが桟５の突片５２間の内法寸法にほぼ対応させてあるもので、このストッパー２４ｂを前記ビームアタッチメント２４aに上方から近づけ、そのコーナー部の４箇所に形成した突起２４ｂ２をビームアタッチメント２４aの対応位置に形成した括れ部分２４ａ５に係わり合わせることによって、ストッパー２４ｂを突片５２間に密接に配置し得るようにしている。そして、その位置でストッパー２４ｂをビームアタッチメント２４aに適宜の連結手段で連結することによって、ストッパー２４ｂを介してビームアタッチメント２４aの回転を禁止するようにしている。
【００２７】
以上により、ビームアタッチメント２４aを桟５に取り付け、プッシュラッチ要素２３を支柱本体２１の上端に取り付けた状態で、図９に示すように支柱本体２１を若干傾斜させつつ桟５に近づけて、プッシュラッチ要素２３の柱状体２３ｂをビームアタッチメント２４aの孔２４a４に差込み、かつラッチ板２３ｃをビームアタッチメント２４aの下面に押し当てて支柱２をある程度押し上げ、しかる後に若干降ろすと、図１０における（ａ）→（ｂ）→（ｃ）→（ｄ）、図６における（ａ）→（ｂ）→（ｃ）に示すように、ラッチ板２３ｃが相対的に桟５によって押し下げられ、このときビームアタッチメント２４aが、ラッチ板２３ｃの頂壁２３ｃ１とともにラッチ歯２３eのラッチ領域２３ｘに一緒に食い込んで、支柱２の上端部が桟５に係留されたラッチ状態に引き込まれる。この状態にいたったときは、支柱２が図９中実線で示すように鉛直に起立した状態にしておき、しかる後にアジャスタ２２を調節することによって、床Ｆと桟５との間に支柱２を突っ張った状態で介在させて取り付けを完了する。また、この状態からアジャスタ２２を緩め、再び支柱２を押し上げて降ろすと、図６における（ｃ）→（ｄ）→（ｅ）→（ａ）に示すように、ビームアタッチメント２４aがラッチ板２３ｃの頂壁２３ｃ１とともにラッチ領域２３ｘから離脱し、支柱２の上端部が桟５によるラッチ状態から開放されることとなる。したがって、このパネル支持支柱２を床Ｆと桟５の間から取り除くことができる。
【００２８】
なお、この支柱２にパネル要素３を取り付けるために用いるパネル要素取付具１について説明を付記しておく。このパネル要素取付具１は、本実施形態では、図２及び図１１に示すように、パネル支持支柱２にそれ自体を固定するための固定部１ａと、前記パネル支持支柱２間に前記パネル要素３を取り付けるためのパネル要素取付部１ｂを具備する。さらに、前記パネル要素取付部１ｂは、前記パネル支持支柱２から対向するパネル支持支柱２に向けて突出した１対の挟持体たる前挟持体１１と後挟持体１２とにより構成され、この１対の前挟持体１１と後挟持体１２とにより前記パネル要素３を挟み込み、パネル要素取付ねじ１３により固定するようにしている。さらに、前記前挟持体１１と前記後挟持体１２とは、前記固定部１ａをも構成していて、パネル要素３とパネル支持支柱２とを同時に挟み込むようにしている。加えて、前記前挟持体１１と前記後挟持体１２との間には、パネル要素取付溝１ｂ１と支柱取付溝１ａ１とが形成されるようにしてあり、パネル要素３の縁部をパネル要素取付溝１ｂ１に係合させるとともに、支柱取付溝１ａ１にパネル支持支柱２を嵌め込むようにしている。前記前挟持体１１と前記後挟持体１２とは、略同一形状をなしている。
【００２９】
以上のような支柱取付構造であると、床Ｆの上方に構造体の一部をなす桟５を配置し、これら床Ｆと桟５との間に、上端部を桟５に係わり合わせ下端部を床Fに接地させてパネル支持支柱２を取り付けた状態で、パネル支持支柱２の上端部が係わり合う桟５から当該パネル支持支柱２の下端部が接地する床Ｆに至る領域の一部に、床Ｆと桟５の間にパネル支持支柱２を介在させた際に反発力を蓄積しつつ弾性変形する可動部、すなわち、昇降方向へ弾性変位するプッシュラッチ要素２３のラッチ板２３ｃが存在することになる。そして、このラッチ板２３ｃの弾性変位に伴って、プッシュラッチ要素２３を弾性変形させながら当該パネル支持支柱２を床Ｆと桟５との間に介在させて取り付けることができるようにしている。
【００３０】
このようなものであると、床Ｆから桟５までの距離に対してパネル支持支柱２の長手寸法に多少の誤差等があっても、プッシュラッチ要素２３に徐々に反発力が蓄積されるため、その多少の誤差によって弾性力が一挙に放出されるようなことがない。したがって、パネル支持支柱２の長手寸法の設定等にある程度余裕が得られ、パネル支持支柱２の長手寸法が若干長いがために桟５の撓み変形を引き起こすほどの大きな力で床Ｆと桟５の間にパネル支持支柱２を介挿しなければならないといった事態の発生を有効に回避することができる。勿論、このためには、桟５に撓み変形を惹起させる前にプッシュラッチ要素２３が作動するように、そのねじりコイルばね２３ｄの弾性係数を設定しておく必要はある。このような効果は、アジャスタ２２を備えない場合においても同様である。
【００３１】
しかしながら、本実施形態は更に、パネル支持支柱２の下端部がアジャスタ２２によって構成されており、アジャスタ調整によってパネル支持支柱２を床Fと桟５との間に容易に突っ張らせた状態で介在させることができるものであり、上記構成におってこのアジャスタ調整しろを無理なく広げることができる上に、比較的大きな調整をしても桟５に撓みなどを引き起こす恐れを効果的に低減することが可能となっている。
【００３２】
とりわけ、この実施形態は、床Ｆと桟５の間に少なくとも２本のパネル支持支柱２を取り付けてオプション部材であるパネル要素３を支持するようにしたものであるが、その取り付けに際して従来のように桟５に撓み変形を引き起こす恐れがないため、一旦床Ｆと桟５の間に介挿したパネル支持支柱２の取付状態は一定に維持されることになる。このため、他のパネル支持支柱２を取り付けたことによって既に取り付けたパネル支持支柱２の取付状態が変化することを回避して、効率良く適切にパネル支持支柱２の取付本数を順次増やしていくことが可能となる。また、これにより複数のパネル支持支柱２を均等な力で床Fと桟５の間に取り付けることが容易となるため、安全で確実な取付状態を簡易に実現することが可能となる。
【００３３】
具体的な構造として、一部が本発明の可動部として機能する上記のプッシュラッチ要素２３は、パネル支持支柱２に付帯して、その実質的な上端部をなすラッチ板２３ｃから下端部をなすアジャスタ２２までの領域内に存在するため、例えば桟５や床Ｆ側に可動部を設ける場合に比べて、構造体や建築床等の改造を必要とせず、後発的にも本発明を有効に採用することができる。
【００３４】
特に、一部が可動部として機能するプッシュラッチ要素２３がパネル支持支柱２の上端部ないし上端近傍部に配置してあるため、パネル支持支柱２の荷重を極力プッシュラッチ要素２３に作用させないようにして、可動部としての本来の役割を有効に確保しておくことができる。
【００３５】
このように、プッシュラッチ要素２３は、桟５にパネル支持支柱２の上端部を極めて簡単に係留、離脱させることのできる手段として機能するものであり、同時に、桟５と床Ｆとの間にパネル支持支柱２を無理なく適切に介在させることを可能にする手段としても機能するものとなるため、部品点数を増やすことなくこれらの機能を同時に実現することができ、ひいてはパネル支持支柱２の取付、撤去に係る作業性及び作業効率を飛躍的に高めることが可能となる。
【００３６】
さらに、この実施形態は、桟５が下向きに連続開口を有し、この連続開口を介してパネル支持支柱２の上端部を桟５の長手方向に沿った任意の位置に取り付け得るようにしているものであるが、本発明の作用とアジャスタ２２の作用とが相俟って、長手方向に沿った各位置での床Ｆの不陸等に対する措置も適切に行い得るものとなる。
【００３７】
なお、各部の具体的な構成は、上述した実施形態のみに限定されるものではなく、本発明の趣旨を逸脱しない範囲で種々変形が可能である。例えば、可動部は桟側に設ておいてもよい。この場合は、当該桟の内部に、押し込むことによって反発力を蓄積しつつ支柱の上端部を係わり合わせるプッシュラッチ要素を備え、このプッシュラッチ要素の一部を可動部として利用すればよい。これによれば、支柱は剛体で足りる。
【００３９】
【発明の効果】
本発明は、以上説明した構成であるから、簡易な構造で床と桟の間に的確に支柱を取り付けることを可能にする新規有用な支柱の取付構造を提供することができる。
【図面の簡単な説明】
【図１】本発明の一実施形態に係る支柱取付構造を適用した作業空間モジュールを示す概略斜視図。
【図２】同実施形態が適用されるパネル支持支柱をこれにより取り付けられるパネル要素とともに示す正面図。
【図３】同実施形態が適用されるパネル支持支柱を示す図。
【図４】同実施形態が適用されるパネル支持支柱の桟への取付状態を示す図。
【図５】同実施形態において可動部の機能を有するプッシュラッチ要素を示す斜視図。
【図６】同プッシュラッチ要素の機能説明図。
【図７】同実施形態において桟側に配置されるプッシュラッチ受け要素を示す図。
【図８】同分解斜視図。
【図９】同実施形態におけるパネル支持支柱の取付手順を示す図。
【図１０】同実施形態におけるパネル支持支柱の取付手順を示す図。
【図１１】同実施形態のパネル支持支柱にパネル要素を取り付ける際に用いられるパネル要素取付具を示す図。
【符号の説明】
Ｆ…床
２…支柱（パネル支持支柱）
５…桟
２２…アジャスタ
２３…可動部（プッシュラッチ要素）
【図１】
0003967189.tif 000002
【図２】
0003967189.tif 000003
【図３】
0003967189.tif 000004
【図４】
0003967189.tif 000005
【図５】
0003967189.tif 000006
【図６】
0003967189.tif 000007
【図７】
0003967189.tif 000008
【図８】
0003967189.tif 000009
【図９】
0003967189.tif 000010
【図１０】
0003967189.tif 000011
【図１１】
0003967189.tif 000012